(57)【要約】【課題】携帯端末装置を所持する複数のユーザが、それぞれ相手の位置を視覚的に認識することができるとともに、互いの意思を伝達し合うことのできる携帯端末装置を提供することを目的とする。【解決手段】携帯端末装置は、他の携帯端末装置と通話状態にある場合において、自己の現在位置を示す現在位置情報を取得するとともに、取得した自己の現在位置情報を他の携帯端末装置に送信し、また、他の携帯端末装置から送信される当該他の携帯端末装置の現在位置情報と、自己の現在位置情報とに基づいて、自己の現在位置及び他の携帯端末装置の現在位置を印した地図を表示する。【選択図】図１
2008160529.tif 000002
【特許請求の範囲】
【請求項１】
表示手段を有する携帯端末装置であって、
他の携帯端末装置と通話状態にある場合において、
自己の現在位置を示す現在位置情報を取得する自己位置情報取得手段と、
前記自己位置情報取得手段により取得された自己の現在位置情報を前記他の携帯端末装置に送信する自己位置情報送信手段と、
前記他の携帯端末装置から送信される当該他の携帯端末装置の現在位置情報を取得する他端末位置情報取得手段と、
前記自己の現在位置及び他の携帯端末装置の現在位置を印した地図を前記表示手段に表示させる表示制御手段と、
を備えることを特徴とする携帯端末装置。
【請求項２】
表示手段を有する携帯端末装置であって、
他の携帯端末装置と、当該他の携帯端末装置との間で送受信したチャットメッセージデータを前記表示手段に表示するチャット状態にある場合において、
自己の現在位置を示す現在位置情報を取得する自己位置情報取得手段と、
前記自己位置情報取得手段により取得された自己の現在位置情報を前記他の携帯端末装置に送信する自己位置情報送信手段と、
前記他の携帯端末装置から送信される当該他の携帯端末装置の現在位置情報を取得する他端末位置情報取得手段と、
前記自己の現在位置及び他の携帯端末装置の現在位置を印した地図を前記表示手段に表示させる表示制御手段と、
を備えることを特徴とする携帯端末装置。
【請求項３】
請求項１又は２に記載の携帯端末装置において、
前記自己位置情報取得手段により取得される現在位置情報の示す現在位置が所定の距離を移動したか否かを判定する移動距離判定手段を更に備え、
前記自己位置情報送信手段は、前記移動距離判定手段により所定の距離を移動したと判定された場合にのみ、前記自己の現在位置情報を前記他の携帯端末装置に送信することを特徴とする携帯端末装置。
【請求項４】
請求項１又は２に記載の携帯端末装置において、
前記自己位置情報取得手段により取得される現在位置情報の示す現在位置が所定の時間移動したか否かを判定する移動時間判定手段を更に備え、
前記自己位置情報送信手段は、前記移動時間判定手段により所定の時間移動したと判定された場合にのみ、前記自己の現在位置情報を前記他の携帯端末装置に送信することを特徴とする携帯端末装置。
【請求項５】
請求項１乃至４の何れか一項に記載の携帯端末装置において、
地図データを記憶する地図データ記憶手段と、
前記地図データと、前記自己位置情報取得手段により取得された現在位置情報と、他端末位置情報取得手段により取得された現在位置情報とに基づいて、前記表示手段に表示させる地図を生成する地図生成手段と、
を更に備え、
前記表示制御手段は、前記地図生成手段により生成された地図を前記表示手段に表示させることを特徴とする携帯端末装置。
【請求項６】
請求項５に記載の携帯端末装置において、
前記表示手段に表示されている地図に対するユーザの切替指示を検出する切替指示検出手段を更に備え、
前記地図生成手段は、自己の現在位置及び他の携帯端末装置の現在位置を印した同時表示地図と、自己の現在位置のみを印した自位置表示地図と、他の携帯端末装置の現在位置のみを印した他位置表示地図とを夫々生成し、
前記表示制御手段は、前記表示手段に表示させる前記同時表示地図と前記自位置表示地図と前記他位置表示地図を、前記切替指示検出手段による前記切替指示の検出に基づいて夫々切り替えることを特徴とする携帯端末装置。
【請求項７】
請求項５又は６に記載の携帯端末装置において、
前記自己位置情報取得手段又は前記他端末位置情報取得手段が現在位置情報を取得した場合に、各当該現在位置情報を履歴情報として記憶する履歴情報記憶手段を更に備え、
前記地図生成手段は、前記履歴情報に基づいて、自己の移動軌跡又は他の携帯端末装置の移動軌跡のうち少なくとも何れか一方の移動軌跡を更に印した地図を生成することを特徴とする携帯端末装置。
【請求項８】
請求項２に記載の携帯端末装置において、
前記表示制御手段は、前記他の携帯端末装置から送信された受信チャットメッセージデータと当該他の携帯端末装置に送信した送信チャットメッセージデータの少なくとも何れか一方を、前記地図と共に前記表示手段に表示させることを特徴とする携帯端末装置。
【請求項９】
請求項１乃至８の何れか一項に記載の携帯端末装置において、
前記自己位置情報送信手段は、サーバを介して、前記自己位置情報取得手段により取得された現在位置情報を他の携帯端末装置に送信するとともに、
前記他端末位置情報取得手段は、サーバを介して、前記他の携帯端末装置から送信される当該他の携帯端末装置の現在位置情報を取得することを特徴とする端末装置。
【請求項１０】
請求項１乃至９の何れか一項に記載の携帯端末装置として、コンピュータを機能させることを特徴とするプログラム。
【請求項１１】
請求項９に記載のサーバとして、コンピュータを機能させることを特徴とするプログラム。
【請求項１２】
請求項１１に記載のプログラムがインストールされたことを特徴とするコンピュータ。
【発明の詳細な説明】
【技術分野】
【０００１】
本発明は、携帯電話などの携帯端末装置に関する。
【背景技術】
【０００２】
従来、人同士が街で出会う際などに互いの現在位置や移動方向を伝える手段として、携帯電話などの携帯端末装置による通話やメールが用いられている。また、簡単に相手の位置を知ることができるように、自己と相手の現在位置を重畳表示させた地図を携帯端末装置の表示部に表示させる技術が公開されている（例えば、特許文献１）。
【特許文献１】特開平９−１７８８３３号公報
【発明の開示】
【発明が解決しようとする課題】
【０００３】
しかしながら、上述した技術において、自己と相手の現在位置を重畳表示された地図を携帯端末装置の表示部に表示させるだけでは、当該携帯端末装置のユーザは互いの位置を認識することができるだけで、両者の意思の伝達を図る手段としては不十分であった。
【０００４】
本発明は、以上の点に鑑みてなされたものであり、携帯端末装置を所持する複数のユーザが、それぞれ相手の位置を視覚的に認識することができるとともに、互いの意思を伝達し合うことのできる携帯端末装置を提供することを目的とする。
【課題を解決するための手段】
【０００５】
請求項１に記載の発明は、表示手段を有する携帯端末装置であって、他の携帯端末装置と通話状態にある場合において、自己の現在位置を示す現在位置情報を取得する自己位置情報取得手段と、前記自己位置情報取得手段により取得された自己の現在位置情報を前記他の携帯端末装置に送信する自己位置情報送信手段と、前記他の携帯端末装置から送信される当該他の携帯端末装置の現在位置情報を取得する他端末位置情報取得手段と、前記自己の現在位置及び他の携帯端末装置の現在位置を印した地図を前記表示手段に表示させる表示制御手段と、を備えることを特徴とする携帯端末装置である。
【０００６】
また、請求項２に記載の発明は、表示手段を有する携帯端末装置であって、
他の携帯端末装置と、当該他の携帯端末装置との間で送受信したチャットメッセージデータを前記表示手段に表示するチャット状態にある場合において、
自己の現在位置を示す現在位置情報を取得する自己位置情報取得手段と、前記自己位置情報取得手段により取得された自己の現在位置情報を前記他の携帯端末装置に送信する自己位置情報送信手段と、前記他の携帯端末装置から送信される当該他の携帯端末装置の現在位置情報を取得する他端末位置情報取得手段と、前記自己の現在位置及び他の携帯端末装置の現在位置を印した地図を前記表示手段に表示させる表示制御手段と、を備えることを特徴とする携帯端末装置である。
【０００７】
さらに、請求項１０に記載の発明は、請求項１乃至９の何れか一項に記載の携帯端末装置として、コンピュータを機能させることを特徴とするプログラムである。
【０００８】
さらにまた、請求項１１に記載の発明は、請求項９に記載のサーバとして、コンピュータを機能させることを特徴とするプログラムである。
【０００９】
さらにまた、請求項１２に記載の発明は、請求項１１に記載のプログラムがインストールされたことを特徴とするコンピュータである。
【発明を実施するための最良の形態】
【００１０】
次に、本願を実施するための最良の形態について、図面に基づいて説明する。なお、以下に説明する実施形態は、サーバ装置と複数の携帯端末装置が接続されたネットワークについて、本願を適用した場合の実施の形態である。また、図示の便宜上、１台のサーバ装置と２台の携帯端末装置のみを図示するが、実際のネットワークには、この他にも多数の携帯端末装置について適用が可能であり、さらに、サーバ装置を複数台設置することにより機能及び処理負担を分散させることができる。
【００１１】
初めに、図１及び図２を用いて本実施形態の概要を説明する。図１は、本実施形態に係るシステムの構成例を示すブロック図である。図２は、本実施形態に係る携帯端末装置の表示部に表示する地図の例を示す模式図である。
【００１２】
本実施形態においては、ユーザＡが携帯端末装置１００Ａ（以下、携帯端末１００Ａとする）を所持し、ユーザＢが携帯端末装置１００Ｂ（以下、携帯端末１００Ｂとする）を所持している。携帯端末１００Ａ及び携帯端末１００Ｂは、それぞれ最寄りの基地局Ｋと電波による無線通信が可能となっている。各基地局Ｋは、交換機及び公衆網などにより構成されるネットワークＸに接続されている。また、ネットワークＸは、管理サーバ３００に接続されている。
【００１３】
携帯端末１００Ａ及び携帯端末１００Ｂ（以下、特に区別する必要がない場合には、携帯端末１００Ａ及び携帯端末１００Ｂを纏めて携帯端末１００とする）は、それぞれＧＰＳ機能を備え、現在位置情報を取得することが可能である。また、携帯端末１００Ａ及び携帯端末１００Ｂは、互いの現在位置情報を交換するコミュニケーション状態において、図２に示すように、ユーザＡの現在位置を示すキャラクタ２１１と、ユーザＢの現在位置を示すキャラクタ２１２を印した地図（以下、同時表示地図という）を、各携帯端末の表示部２１０に表示するコミュニケーション機能を備える。これにより、ユーザＡ及びユーザＢは、通話と共にコミュニケーション機能を利用することにより、通話による聴覚情報及び地図による視覚情報によって互いの現在位置を認識することができる。
【００１４】
また、管理サーバ３００は、携帯端末１００Ａと携帯端末１００Ｂがコミュニケーション状態にある場合において、何れかの携帯端末から現在位置情報を受信した場合に、受信した現在位置情報を他方の携帯端末に送信する。すなわち、管理サーバ３００は、携帯端末１００Ａと携帯端末１００Ｂの現在位置情報に関する中継装置の役割を果たす。
【００１５】
次に、図３を用いて携帯端末１００の構成を説明する。図３は、本実施形態に係る携帯端末１００の構成例を示すブロック図である。
【００１６】
携帯端末１００は、携帯端末１００の各種制御を行う制御部２４０を有しており、制御部２４０には、バスＢを介して信号処理部１３０、無線受信部１４０、ＧＰＳ受信部１６０、システムデータ記憶部１８０、メッセージデータ記憶部１９０、地図データ記憶部２００、表示部２１０及び操作部２２０が接続されている。各構成要素は、ＣＰＵなどを含む制御部２４０により制御されて動作する。
【００１７】
無線受信部１４０には電波を送受信するアンテナ１５０が接続されており、信号処理部１３０にはスピーカ１１０及びマイク１２０が接続されている。アンテナ１５０は、電波により音声データ、メッセージデータ、画像データ、現在位置情報などの各種データを送受信する。また、通話状態における通話音声について、無線送受信部１４０は、アンテナ１５０が電波を受信すると、受信電波を受信信号に復調して信号処理部１３０にバスＢを介して送信する。信号処理部１３０は、受信信号を再生するための信号処理を施し、スピーカ１１０から音声として再生させる。また、信号処理部１３０は、マイク１２０から入力されるユーザの会話を音声信号に変換し、バスＢを介して無線送受信部１４０へ送信する。無線送受信部１４０は、信号処理部１３０からの音声信号を変調してアンテナ１５０へ供給し、アンテナ１５０はその音声信号を電波として送信する。
【００１８】
ＧＰＳ受信部１６０にはＧＰＳアンテナ１７０に接続されている。ＧＰＳアンテナ１７０は複数の衛星からの電波を受信し、受信信号をＧＰＳ受信部１６０へ供給する。ＧＰＳ受信部１６０は、複数の電波を利用して携帯端末１００の現在位置を算出し、現在位置情報として制御部２４０へ供給する。この現在位置情報は、例えば緯度及び経度の情報とすることができる。
【００１９】
システムデータ記憶部１８０は、携帯端末１００の有するメール機能やコミュニケーション機能など種々の機能を実行するためのプログラムを記憶する。また、システムデータ記憶部１８０は、種々の処理において一時的にデータを記憶するために使用される作業用記憶部（図示しない）を有する。
【００２０】
メッセージデータ記憶部１９０は、携帯端末１００の有するメール機能によって送受信されるメッセージデータなどを記録する。地図データ記憶部２００は、携帯端末１００の現在位置を表示するための地図データを記憶している。なお、携帯端末１００はアドレス帳データ記憶部（図示しない）を有し、アドレス帳データ記憶部は電話番号及びメールアドレス等の情報を複数記憶する。
【００２１】
地図データ記憶部２００は、例えばカードやチップ式の差し替え可能なメモリとすることができる。携帯端末１００のユーザは自己に必要な地域に対応する地図データをメモリに記憶させることができる。例えば、市販のＣＤ−ＲＯＭから地図データをコピーしてメモリに記録させたり、インターネットなどを介して地図データ提供サイトから地図データをダウンロードしてメモリに記録させたりすることができる。
【００２２】
表示部２１０は、液晶表示素子またはＥＬ（Electro Luminescence）素子によって構成されている。表示部２１０は、操作部２２０に対する入力操作等に基づいて、アドレス帳データ記憶部に記憶されている情報や、携帯端末１００の提供する各種機能をユーザに選択させるためのメニュー画面を表示する。また、表示部２１０は、コミュニケーション状態において地図を表示する。
【００２３】
操作部２２０は、数字キー、十字キー、機能キーなどの各種キーにより構成されている。数字キーは、電話番号を入力する際に用いられる。また、数字キーには、文字が割り当てられており文字情報を入力する際にも用いられる。十字キーは、メニューの選択や表示画面内の表示情報を上下左右へスクロールする際に用いられる。また、機能キーは、各種機能を実現するプログラムを呼び出す際に用いられる。
【００２４】
本実施形態において、携帯端末１００Ａは、機能キーとして、他の携帯端末１００Ｂと互いに現在位置情報を送受信するコミュニケーション状態を開始する際に用いられるコミュニケーション開始キーと、当該コミュニケーション状態を終了させる際に用いられるコミュニケーション終了キーを有する。
【００２５】
携帯端末１００Ａの制御部２４０は、携帯端末１００Ｂと通話状態にある場合に、コミュニケーション開始キーがユーザＡによって押下操作されることにより、携帯端末１００Ｂに対してコミュニケーション接続要求を出力するとともに、携帯端末１００ＡのＧＰＳ受信部１６０に現在位置の算出を開始させる。一方、携帯端末１００Ｂの制御部２４０は、コミュニケーション接続確認を受信すると、携帯端末１００Ｂの表示部２１０に携帯端末１００Ａからコミュニケーション接続の打診があった旨を示す情報を表示させる。これに対して、コミュニケーション開始キーがユーザＢによって押下操作されると、携帯端末１００Ｂの制御部２４０は、コミュニケーション接続確認を携帯端末１００Ａに送信することによりコミュニケーション状態を開始させるとともに、携帯端末１００ＢのＧＰＳ受信部１６０に現在位置の算出を開始させる。これにより、携帯端末１００Ａと携帯端末１００Ｂはコミュニケーション状態となる。
【００２６】
コミュニケーション状態において、携帯端末１００Ａの制御部２４０は、携帯端末１００ＡのＧＰＳ受信部１６０に算出させた現在位置を示す現在位置情報を携帯端末１００Ｂに送信する。具体的には、携帯端末１００Ａの制御部２４０は、コミュニケーション状態にある場合には、携帯端末１００ＡのＧＰＳ受信部１６０に現在位置を継続的に算出させ、現在位置が所定の距離（例えば、１０メートル）移動したかを判定し、所定の距離を移動したと判定した場合には、現在位置情報を携帯端末１００Ｂに送信する。一方、携帯端末１００Ｂの制御部２４０も携帯端末１００Ａの制御部２４０と同様に、携帯端末１００ＢのＧＰＳ受信部１６０に算出させた現在位置を示す現在位置情報を携帯端末１００Ａに送信する。なお、携帯端末１００Ａの制御部２４０は、管理サーバ３００を介して現在位置情報を携帯端末１００Ｂに送信する。
【００２７】
また、携帯端末１００Ａの制御部２４０は、コミュニケーション状態にある場合に、携帯端末１００ＡのＧＰＳ受信部１６０に算出させた自己の現在位置情報と、携帯端末１００Ｂから受信した現在位置情報とに基づいて、両携帯端末の現在位置を表示できる地図に対応する地図データを携帯端末１００Ａの地図データ記憶部２００から検索する。携帯端末１００Ａの制御部２４０は、検索を終了すると、図２に示すように、携帯端末１００Ａを所持するユーザＡを示すキャラクタ２１１と、携帯端末１００Ｂを所持するユーザＢを示すキャラクタ２１２を、検索した地図上の各携帯端末１００の現在位置に印して携帯端末１００Ａの表示部２１０に表示させる。
【００２８】
なお、例えば、本実施形態のアンテナ１５０及び無線受信部１４０は、本発明の自己位置情報送信手段及び他端末位置情報取得手段を構成するとともに、本実施形態のＧＰＳアンテナ１７０及びＧＰＳ受信部１６０は、本発明の自己位置情報取得手段を構成する。また、本実施形態の制御部２４０は、本発明の表示制御手段、地図生成手段、移動距離判定手段を構成するとともに、表示部２１０は本発明の表示手段を構成する。さらに、本実施形態の地図データ記憶部２００は、本発明の地図データ記憶手段を構成する。
【００２９】
次に、図４及び図５を用いて２台の携帯端末（携帯端末１００Ａ、携帯端末１００Ｂ）と管理サーバ３００の動作について説明する。図４及び図５は、本実施形態に係る２台の携帯端末と管理サーバの動作例を示すフローチャートである。
【００３０】
初めに、携帯端末１００Ａの制御部２４０は、ユーザＡによるユーザＢと通話をするための通話操作に基づいて、携帯端末Ｂとの通話接続要求を行う（ステップＳ１）。
【００３１】
一方、携帯端末１００Ｂの制御部２４０は、携帯端末１００Ａからの通話接続要求に対するユーザＢによるユーザＡと通話をするための通話操作に基づいて、携帯端末Ａとの通話接続確認を行う（ステップＳ２）。これにより、携帯端末１００Ａと携帯端末１００Ｂとは通話状態となり、ユーザＡとユーザＢは通話が可能となる。なお、携帯端末１００Ａの制御部２４０による通話接続要求及び携帯端末１００Ｂの制御部２４０による通話接続確認は、具体的には、基地局Ｋ及び交換機（図示しない）を介して行われる。
【００３２】
次に、ユーザＡがユーザＢの現在位置を知るためにコミュニケーション開始キーを操作したとする。この場合に、携帯端末１００Ａの制御部２４０は、コミュニケーション開始キーに対するユーザＡの操作に基づいて、携帯端末１００Ｂとのコミュニケーション接続要求を行う（ステップＳ３）。
【００３３】
一方、携帯端末１００Ｂの制御部２４０は、携帯端末１００Ａからコミュニケーション接続確認を受信すると、携帯端末１００Ｂの表示部２１０に携帯端末１００Ａからコミュニケーション接続の打診があった旨を示す情報を表示させる。これに対して、ユーザＢがユーザＡに自己の現在位置を知らせることについて同意するとともに、ユーザＡの現在位置を知るためにコミュニケーション開始キーを操作したとする。携帯端末１００Ｂの制御部２４０は、コミュニケーション開始キーに対するユーザＢの操作に基づいて、携帯端末１００Ａとのコミュニケーション接続確認を行う（ステップＳ４）。これにより、携帯端末１００Ａと携帯端末１００Ｂはコミュニケーション状態となる。
【００３４】
携帯端末１００Ａの制御部２４０と携帯端末１００Ｂの制御部２４０はコミュニケーション状態を開始させると、携帯端末１００Ａは携帯端末１００Ｂとのコミュニケーション開始情報を管理サーバ３００に送信し（ステップＳ５）、携帯端末１００Ｂの制御部２４０は携帯端末１００Ａとのコミュニケーション開始情報を管理サーバ３００に送信する（ステップＳ６）。
【００３５】
管理サーバ３００は、携帯端末１００Ａと携帯端末１００Ｂからのコミュニケーション開始情報を確認する（ステップＳ７）と、以降、コミュニケーション終了情報を確認するまでの間、何れかの携帯端末から現在位置情報を受信した場合に、他方の携帯端末に現在位置情報を送信する。
【００３６】
携帯端末１００Ａの制御部２４０と携帯端末１００Ｂの制御部２４０はコミュニケーション状態を開始させると、自己の現在位置情報の取得を開始する（ステップＳ８、ステップＳ９）。具体的には、携帯端末１００Ａの制御部２４０と携帯端末１００Ｂの制御部２４０は、ＧＰＳ受信部１６０に自己の現在位置を算出させる。ここで、携帯端末１００Ａの制御部２４０は、携帯端末１００Ａのコミュニケーション開始キーが操作された場合には、随時、自己の現在位置情報の取得を開始することができる。また、携帯端末１００Ｂの制御部２４０は、携帯端末１００Ａからコミュニケーション接続確認を受信した場合には、随時、自己の現在位置情報の取得を開始することができる。
【００３７】
次に、携帯端末１００Ａの制御部２４０は、携帯端末１００ＡのＧＰＳ受信部１６０から自己の現在位置情報を受信すると、携帯端末１００Ａの現在位置情報として管理サーバ３００に送信する（ステップＳ１０）。
【００３８】
次に、管理サーバ３００は、携帯端末１００Ａから携帯端末１００Ａの現在位置情報を受信すると、受信した現在位置情報を携帯端末Ｂに送信する（ステップＳ１１）。
【００３９】
同様に、携帯端末１００Ｂの制御部２４０は、携帯端末１００ＢのＧＰＳ受信部１６０から自己の現在位置情報を受信すると、携帯端末１００Ｂの現在位置情報として、管理サーバ３００に送信する（ステップＳ１２）。
【００４０】
管理サーバ３００は、携帯端末１００Ｂから携帯端末１００Ｂの現在位置情報を受信すると、受信した現在位置情報を携帯端末Ａに送信する（ステップＳ１３）。これにより、携帯端末１００Ａの制御部２４０と携帯端末１００Ｂの制御部２４０は、それぞれの現在位置を把握することができる。
【００４１】
次に、携帯端末１００Ａの制御部２４０と携帯端末１００Ｂの制御部２４０は、それぞれ、携帯端末Ａと携帯端末Ｂの現在位置を印した地図を表示部２１０に表示させる（ステップＳ１４、ステップＳ１５）。
【００４２】
以降、携帯端末１００Ａの制御部２４０は、ユーザＡによりコミュニケーション終了キーが操作されたと判定するまで（ステップＳ１６）、コミュニケーション状態を継続させる。同様に、携帯端末１００Ｂの制御部２４０は、ユーザＢによりコミュニケーション終了キーを操作されたと判定するまで（ステップＳ１７）、コミュニケーション状態を継続させる。
【００４３】
また、携帯端末１００Ａの制御部２４０は、コミュニケーション状態において、ユーザＡの現在位置をリアルタイムで携帯端末１００Ｂの表示部２１０に表示させ、且つ、現在位置情報の送信コストを軽減させるために、自己の現在位置が所定の距離移動したかを判定し、所定の距離を移動したと判定した場合には、携帯端末１００Ａの現在位置情報を管理サーバ３００に送信する。同様に、携帯端末１００Ｂの制御部２４０は、コミュニケーション状態において、自己の現在位置が所定の距離移動したかを判定し、所定の距離を移動したと判定した場合には、携帯端末１００Ｂの現在位置情報を管理サーバ３００に送信する。
【００４４】
携帯端末１００Ａの制御部２４０は、ステップＳ１６の処理において、ユーザＡにより携帯端末１００Ａのコミュニケーション終了キーを操作されたと判定した場合には、次いで、携帯端末１００Ｂとのコミュニケーション接続を解除する（ステップＳ１８）。
【００４５】
次に、携帯端末１００Ａの制御部２４０は、携帯端末１００Ｂとのコミュニケーション終了情報を管理サーバ３００に送信して（ステップＳ２０）、コミュニケーション状態についての処理を終了させる。
【００４６】
同様に、携帯端末１００Ｂの制御部２４０は、ステップＳ１７の処理において、ユーザＢによりコミュニケーション終了キーを操作されたと判定した場合には、次いで、携帯端末１００Ａとのコミュニケーション接続を解除する（ステップＳ１９）。
【００４７】
次に、携帯端末１００Ｂの制御部２４０は、携帯端末１００Ａとのコミュニケーション終了情報を管理サーバ３００に送信して（ステップＳ２１）、コミュニケーション状態についての処理を終了させる。
【００４８】
管理サーバ３００は、携帯端末１００Ａ又は携帯端末１００Ｂからコミュニケーション終了情報を受信すると、携帯端末１００Ａと携帯端末１００Ｂのコミュニケーション状態についての処理を終了する（ステップＳ２２）。
【００４９】
次に、携帯端末１００Ａの制御部２４０は、ユーザＡによる通話を終了するための操作を検出すると、携帯端末Ｂとの通話接続解除要求を携帯端末１００Ｂに送信して（ステップＳ２３）、通話状態を終了させる。
【００５０】
一方、携帯端末１００Ｂの制御部２４０は、携帯端末１００Ａからの通話接続解除要求を受信すると、携帯端末Ａとの通話接続を解除して（ステップＳ２４）、通話状態を終了させる。
【００５１】
以上説明したように、本実施形態の携帯端末１００Ａは、表示部２１０を有する携帯端末であって、携帯端末１００Ｂと通話状態にある場合において、携帯端末１００Ａの現在位置を示す現在位置情報を取得するＧＰＳアンテナ１７０及びＧＰＳ受信部１６０と、ＧＰＳアンテナ１７０及びＧＰＳ受信部１６０により取得された携帯端末１００Ａの現在位置情報を携帯端末１００Ｂに送信するアンテナ１５０及び無線送受信部１４０と、携帯端末１００Ｂから送信される当該携帯端末１００Ｂの現在位置情報を取得するアンテナ１５０及び無線送受信部１４０と、携帯端末１００Ａの現在位置及び携帯端末１００Ｂの現在位置をそれぞれ示すキャラクタ２１１、２１２を印した地図を表示部２１０に表示させる制御部２４０と、を備える。
【００５２】
この構成により、本実施形態の携帯端末１００Ａは、携帯端末１００Ｂと通話状態にある場合において、携帯端末１００Ａの現在位置を示す現在位置情報を取得するとともに携帯端末１００Ｂに送信して、また、携帯端末１００Ｂから当該携帯端末１００Ｂの現在位置情報を取得して、携帯端末１００Ａの現在位置及び携帯端末１００Ｂの現在位置をそれぞれ示すキャラクタ２１１、２１２を印した地図を表示部２１０に表示する。
【００５３】
したがって、本実施形態の携帯端末１００Ａによれば、携帯端末１００Ａを所持するユーザＡは、携帯端末１００Ａの現在位置と、携帯端末１００Ｂを所持するユーザＢの現在位置を、携帯端末１００Ａの表示部２１０に表示されるキャラクタ２１１、２１２が印された地図により視覚的に認識することができるとともに、通話によって互いの意思を伝達し合うことができる。また、特に街で待ち合わせをした際などには、迅速かつ効率的に出会うことができる。
【００５４】
また、本実施形態の携帯端末１００Ａは、制御部２４０が、ＧＰＳアンテナ１７０及びＧＰＳ受信部１６０により取得される現在位置情報の示す現在位置が所定の距離を移動したか否かを判定し、所定の距離を移動したと判定した場合にのみアンテナ１５０及び無線送受信部１４０を介して、携帯端末１００Ａの現在位置情報を携帯端末１００Ｂに送信する。
【００５５】
したがって、本実施形態の携帯端末１００Ａによれば、携帯端末１００Ｂの表示部２１０に表示される地図上の携帯端末Ａの現在位置を示すキャラクタ２１１と、実際にユーザＡのいる現在位置とで大きな差を生じさせることなく、更に、常時、現在位置情報を送信する場合と比較して通信コストを抑制することができる。
【００５６】
さらに、本実施形態の携帯端末１００Ａは、地図データを記憶する地図データ記憶部２００を有し、携帯端末１００Ａの制御部２４０が、携帯端末１００Ａの地図データ記憶部２００に記憶された地図データと、携帯端末１００ＡのＧＰＳアンテナ１７０及びＧＰＳ受信部１６０により取得される現在位置情報と、携帯端末１００Ａのアンテナ１５０及び無線送受信部１４０により取得される携帯端末１００Ｂの現在位置情報とに基づいてキャラクタ２１１、２１２を印した地図を生成して、携帯端末１００Ａの表示部２１０に表示させる。
【００５７】
したがって、本実施形態の携帯端末１００Ａによれば、管理サーバ３００に地図データ記憶部を設け、管理サーバ３００が、携帯端末１００Ａ及び携帯端末１００Ｂから受信した各現在位置情報に基づいて携帯端末Ａ及び携帯端末Ｂの現在位置を示すキャラクタ２１１、２１２を印した地図データを生成し、携帯端末１００Ａ及び携帯端末１００Ｂに送信する構成とした場合と比較して、現在位置情報（例えば、緯度・経度情報）のみを送受信することから、通信コストを抑制することができる。
【００５８】
なお、本実施形態では、携帯端末１００Ａの制御部２４０は、ＧＰＳアンテナ１７０及びＧＰＳ受信部１６０により取得される現在位置情報の示す現在位置が所定の距離を移動したか否かを判定し、所定の距離を移動したと判定した場合にのみ携帯端末１００Ａのアンテナ１５０及び無線送受信部１４０を介して、携帯端末１００Ａの現在位置情報を携帯端末１００Ｂに送信するが、携帯端末１００Ａの現在位置情報の示す現在位置が所定の時間移動したか否かを判定するとともに、所定の距離を移動したと判定した場合にのみ携帯端末１００Ａの現在位置情報を携帯端末１００Ｂに送信することとしてもよい。この場合にも、携帯端末１００Ｂの表示部２１０に表示される地図上の携帯端末Ａの現在位置を示すキャラクタ２１１と、実際にユーザＡのいる現在位置とで大きな差を生じさせることなく、常時、現在位置情報を送信する場合と比較して通信コストを抑制することができる。なお、この場合の制御部２４０は、本発明の移動時間判定手段を構成する。
【００５９】
また、本実施形態の携帯端末１００Ａは、同時表示地図を表示部２１０に表示するが、表示地図切替キー（図示しない）を設け、当該表示地図切替キーに対する操作に基づいて、携帯端末１００Ａの表示部２１０に表示する地図を、携帯端末１００Ａの現在位置を示すキャラクタ２１１のみを印した地図（以下、自位置表示地図という）と、携帯端末１００Ｂの現在位置を示すキャラクタ２１２のみを印した地図（以下、他位置表示地図という）、携帯端末１００Ａの現在位置及び携帯端末１００Ｂの現在位置を示すキャラクタ２１１、２１２を印した同時表示地図を夫々切り替えることとしてもよい。
【００６０】
具体的には、携帯端末１００Ａの制御部２４０は、携帯端末１００ＡのＧＰＳアンテナ１７０及びＧＰＳ受信部１６０により取得される現在位置情報と、携帯端末１００Ａのアンテナ１５０及び無線送受信部１４０により取得される携帯端末１００Ｂの現在位置情報とに基づいて、自位置表示地図、他位置表示地図及び同時表示地図をそれぞれ作成し、携帯端末１００Ａの表示地図切替キーに対する操作に基づいて、携帯端末１００Ａの表示部２１０に表示させる地図を切り替える制御を行うこととする。この場合、携帯端末１００Ａの制御部２４０は、自位置表示地図の中心に携帯端末１００Ａの現在位置を示すキャラクタ２１１を印し、また、他位置表示地図の中心に携帯端末１００Ｂの現在位置を示すキャラクタ２１１を印すことにより、それぞれの現在位置における周囲の地理情報をより多く提供することができる。なお、この場合の表示地図切替キーは、本発明の切替指示検出手段を構成する。
【００６１】
さらに、図６に示すように、携帯端末１００Ａは、地図に携帯端末１００Ａの現在位置を示すキャラクタ２１１又は携帯端末１００Ｂの現在位置を示すキャラクタ２１１を印す場合に、キャラクタ２１１の移動軌跡２１３Ａ、２１３Ｂ、２１３Ｃ、２１３Ｄ（以下、纏めて２１３とする）、又は、キャラクタ２１２の移動軌跡２１４Ａ、２１４Ｂ、２１４Ｃ、２１４Ｄ、２１４Ｅ、２１４Ｆ（以下、纏めて２１４とする）を合わせて表示することとしてもよい。
【００６２】
具体的には、携帯端末１００Ａは、携帯端末１００ＡのＧＰＳアンテナ１７０及びＧＰＳ受信部１６０により現在位置情報が取得された場合、又は、携帯端末１００Ａのアンテナ１５０及び無線送受信部１４０により携帯端末１００Ｂの現在位置情報が取得された場合に、各現在位置情報を履歴情報として記憶する履歴情報記憶部（図示しない作業用記憶部に含まれる）を更に備え、携帯端末１００Ａの制御部２４０が、履歴情報記憶部に記憶された履歴情報に基づいて、携帯端末１００Ａの移動軌跡２１３又は携帯端末１００Ｂの移動軌跡２１４を、キャラクタ２１１又はキャラクタ２１２とともに印した地図を生成して、携帯端末１００Ａの表示部２１０に表示させることとする。このとき、何れか一方の、移動軌跡を印した地図を生成して、表示させることとしてもよい。
【００６３】
これにより、携帯端末１００Ａは、キャラクタ２１１、２１２とともに表示する移動軌跡２１３、２１４から、ユーザＡに対して、ユーザＡの移動した距離や、ユーザＢと近づいていることを視覚的に実感させることができる。なお、この場合のシステムデータ記憶部１８０は、本発明の履歴情報記憶手段を構成する。
【００６４】
さらにまた、携帯端末１００Ａはチャット機能を備え、図７に示すようにチャット状態において、同時表示地図を携帯端末１００Ａの表示部２１０に表示することとしてもよい。チャット機能とは、携帯端末１００Ｂとの間で送受信したチャットメッセージデータを、表示部２１０に表示する機能である。なお、チャットメッセージデータの送受信は、メールの送受信機能を利用する。
【００６５】
具体的には、携帯端末１００Ａの制御部２４０は、機能キーの一つであるチャット機能を作動させるためのチャットキーが押下されることにより、チャット開始用準備画面を表示部２１０に表示させ、ユーザＡにチャットの相手を指定させる（ここでは、携帯端末１００Ｂとする）。携帯端末１００Ａの制御部２４０は、チャットの相手が指定されると指定された携帯端末１００Ｂにチャット接続要求を送信し、携帯端末１００Ｂの確認応答を待ってチャット状態を開始させる。
【００６６】
図７（ａ）、（ｂ）に示すように、携帯端末１００Ａの制御部２４０は、チャット状態において、送信メッセージ入力領域２１５と履歴メッセージ表示領域２１６を表示部２１０に表示させる。ユーザＡは、図７（ａ）に示すように、携帯端末１００Ａの送信メッセージ入力領域２１５に携帯端末１００Ｂに送信したいチャットメッセージデータを入力し、機能キーの一つである送信キーを押下することにより、図７（ｂ）に示すように、携帯端末１００Ｂの履歴メッセージ表示領域２１６に当該チャットメッセージデータを表示させることができる。このとき、携帯端末１００Ａの制御部２４０は、携帯端末１００Ｂに対してチャットメッセージデータを送信する場合には、携帯端末１００Ｂのメールアドレスを自動設定し、一方、携帯端末１００Ｂと制御部２４０は、携帯端末１００Ａから受信したチャットメッセージデータを自動開封して携帯端末１００Ｂの履歴メッセージ表示領域２１６に表示させる。したがって、ユーザＡ及びユーザＢは、チャット機能を利用することにより、会話をするようにチャットメッセージデータのやりとりを行うことができる。
【００６７】
すなわち、図７に示すようにチャット状態において、同時表示地図を携帯端末１００Ａの表示部２１０に表示することにより、ユーザＡはユーザＢの位置を、同時表示地図により視覚的に認識することができるとともに、チャットによって互いの意思を伝達し合うことができる。また、この場合において、携帯端末１００Ａの制御部２４０は、携帯端末１００Ｂに送信したチャットメッセージデータ又は携帯端末１００Ｂから受信したチャットメッセージデータの何れか一方を地図とともに表示部２１０に表示させることとしてもよい。
【００６８】
さらにまた、本実施形態において、携帯端末１００Ａ及び携帯端末１００Ｂは、管理サーバ３００を介して各現在位置情報を送受信しているが、管理サーバ３００を介さずに直接送受信することとしてもよい。
【００６９】
さらにまた、携帯端末１００Ａと携帯端末１００Ｂがコミュニケーション状態を開始する場合に、まず、携帯端末１００Ａが自己の現在位置情報を取得し、コミュニケーション接続要求とともに当該現在位置情報を、管理サーバ３００を介して携帯端末１００Ｂに送信し、これに対して、携帯端末１００Ｂが携帯端末１００Ｂの現在位置情報を取得し、コミュニケーション接続確認とともに当該現在位置情報を、管理サーバ３００を介して携帯端末１００Ａに送信することとしてもよい。
【００７０】
さらにまた、本実施形態では、携帯端末１００Ａと携帯端末１００Ｂは、コミュニケーション終了情報を管理サーバ３００に送信（ステップＳ２０、ステップＳ２１）した後に通話接続を解除（ステップＳ２３、ステップＳ２４）するが、コミュニケーション終了情報を管理サーバ３００に送信する前に通話接続を解除することとしてもよい。
【００７１】
さらにまた、本願発明の通話として、携帯端末１００をトランシーバのように使い、機能キーの一つであるトランシーバキーを押下している間だけ相手に話し掛けることができる半二重の通話を含む。
【００７２】
また、上述した携帯端末１００の各機能を実現するためのプログラムを、フレキシブルディスク又はハードディスク等の情報記録媒体に記録しておき、又はインターネット等を介して取得して記録しておき、これらを携帯用コンピュータで読み出して実行することにより、当該携帯用コンピュータを各実施形態に係る携帯端末として活用することもできる。
【図面の簡単な説明】
【００７３】
【図１】本実施形態に係るシステムの構成例を示すブロック図である。
【図２】本実施形態に係る携帯端末装置の表示部に表示する画面の例を示す模式図である。
【図３】本実施形態に係る携帯端末１００の構成例を示すブロック図である。
【図４】本実施形態に係る携帯端末と管理サーバの動作例を示すフローチャートである。
【図５】本実施形態に係る携帯端末と管理サーバの動作例を示すフローチャートである。
【図６】本実施形態に係る携帯端末装置の表示部に表示する画面の例を示す模式図である。
【図７】本実施形態に係る携帯端末装置の表示部に表示する画面の例を示す模式図である。
【符号の説明】
【００７４】
１００、１００Ａ、１００Ｂ  …  携帯端末
１１０  …  スピーカ
１２０  …  マイク
１３０  …  信号処理部
１４０  …  無線送受信部
１５０  …  アンテナ
１６０  …  ＧＰＳ受信部
１７０  …  ＧＰＳアンテナ
１８０  …  システムデータ記憶部
１９０  …  メッセージデータ記憶部
２００  …  地図データ記憶部
２１０  …  表示部
２２０  …  操作部
３００  …  管理サーバ
【図１】
2008160529.tif 000003
【図２】
2008160529.tif 000004
【図３】
2008160529.tif 000005
【図４】
2008160529.tif 000006
【図５】
2008160529.tif 000007
【図６】
2008160529.tif 000008
【図７】
2008160529.tif 000009